(57)【特許請求の範囲】
【請求項１】
複数のサスペンション・アームを有する情報記録ディスク装置のランプであって、
前記サスペンション・アーム毎に個別に形成され、このサスペンション・アームを摺動させることにより格納場所に誘導する少なくとも２個の前縁部が互いに分離されたガイド部と、
前記各ガイド部を所定位置に支持する前記２個のガイド部よりも熱膨張率の小さい高分子材料を用いて形成されるガイド支持部材とを備え、
前記ガイド支持部材は、前記分離されたガイド部の支持面とは反対側の面同士の間にて前記ガイド部と係合するガイド間隙部からなる第１の係合部を有し、
前記各ガイド部は、前記第１の係合部に係合する第２の係合部を有する情報記録ディスク装置用ランプ。
【請求項２】
前記第２の係合部は、前記ガイド部における前記第１の係合部と対向する位置に設けられる請求項１に記載した情報記録装置用ランプ。
【請求項３】
前記第１の係合部及び第２の係合部は、相互に形状が組合わさる鈎型である請求項２に記載した情報記録ディスク用ランプ。
【発明の詳細な説明】
【０００１】
【発明の属する技術分野】
本発明は、情報記録ディスク装置中の高速回転する記録ディスクに情報を書きこみ或いは読み出しするヘッドを保持するサスペンション・アームを、記録ディスクが非動作時に情報記録ディスクから離間させた状態にて保持するランプの構造に関する。
【０００２】
【従来の技術】
コンピュータ等の情報処理装置に用いられる情報記録装置の中で高速回転する磁気記録ディスクを記録媒体として用いる情報記録ディスク装置であるハードディスク・ドライブ装置は、複数枚の磁気記録ディスク（以下、記録ディスクと記載する）を高速回転させ、各記録ディスクの上下面の各々に対応して設けられた磁気ヘッドにより情報の書きこみ或いは読み出しを行っている。
【０００３】
ハードディスク・ドライブ装置用の磁気ヘッドは、アクチュエータにより駆動されるサスペンション・アーム等により支持されて記録ディスク上を高速に移動する。また、磁気ヘッドと記録ディスクとは接触しておらず、記録ディスクの回転によって発生する空気流等の作用により磁気ヘッドは微少量だけ記録ディスクから浮上している。
【０００４】
また、磁気ヘッドに対しては、記録ディスクが回転していないときにも記録ディスクと接触しないことが要求される。これは、磁気ヘッドと回転停止中の記録ディスクを長時間接触させると、磁気ヘッドと記録ディスクの表面が固着してしまう可能性があるためであり、もし、固着してしまった場合には、記録ディスクの回転開始により固着部が剥がれること等により記録ディスクの表面が破損することになる。
【０００５】
また、磁気ヘッドと記録ディスクの表面が固着しないような短時間であっても、磁気ヘッドに対しては、記録ディスクと接触しないことが要求される。これは、例えば、磁気ヘッドを回転停止中の記録ディスクの上に接触させた場合、その後、記録ディスクが回転を開始してから記録ディスクが所定回転数に達するまでの間、磁気ヘッドと記録ディスクとが接触して発生する摩擦により記録ディスクの表面が研削される事態が発生する可能性が有るためである。一般的に、磁気ヘッドが記録ディスクの表面上で浮上するためには、記録ディスクが所定回転数に達していることが必要とされている。
【０００６】
上記のように、磁気ヘッドは、記録ディスクが所定回転数に達していない間は記録ディスク上から離間させておく必要があるため、近年になり、記録ディスクが所定回転数以下である場合に磁気ヘッド及びサスペンション・アームを記録ディスクから離間させて保持するランプと呼ばれる磁気ヘッドの保持機構が知られるようになった。
【０００７】
近年のハードディスク・ドライブ装置では、記録ディスクが回転を停止している間及び低速回転である間、磁気ヘッドを記録ディスクと離間させて保持するための退避場所としてのランプが設けられている。そのようなハードディスク装置では、記録ディスクの回転数が減って磁気ヘッドを浮上させられない回転数以下になると磁気ヘッドをランプにアンロードし、記録ディスクの回転数が上昇して磁気ヘッドを浮上させるために充分な回転数に達すると磁気ヘッドを記録ディスク上にロードしている。上記のように磁気ヘッドのランプへのアンロードとランプからのロードを行う方式をランプ・ローディング方式と称している。
【０００８】
ランプは高分子材料により成形されて製造される。また、ランプはハードディスク装置のハウジングに螺子止めされており、螺子の締め付けトルクによってハウジングに押し付けられる圧縮方向に応力を受けている。従って、長い時間が経過した場合には、高分子材料により形成されたランプに塑性変形であるクリープ変形が発生する。
【０００９】
また、情報記録ディスク装置には、記録ディスクを高速で回転させるためにモータやそのドライバ回路等が組み込まれており、それらの発熱により情報記録ディスク装置の内部が温度上昇することは避けられない。従って、ランプの周辺温度についても、記録ディスクが高速回転中は上昇し、記録ディスクが回転停止中は低下して常温に近づく。即ち、ランプは、温度サイクルの環境下にて使用される。その場合、例えば、信頼性試験の分野では温度サイクルにより時間を加速させていることからも明らかなように、時間の経過により発生するクリープ変形は発生しやすくなる。
【００１０】
図１１（ａ）は、ポリ・テトラ・フルオロ・エチレン（ＰＴＦＥ）を含む高分子材料を用いて全ての部分を一括成形した場合の従来のランプを示す斜視図であり、図１１（ｂ）は、図１１（ａ）のランプ中におけるサスペンション・アームを誘導するガイド部の前端縁部を拡大して示した斜視図である。なお、図１１（ａ）、（ｂ）は、両面使用の記録ディスクを３段重ねた場合の各サスペンション・アームを保持するタイプのランプを示している。
【００１１】
図１１（ａ）に示すように、従来のランプ２０は、ランプ２０を情報記録ディスク装置のハウジングに螺子を用いて固定するための螺子穴２５を有する取付部２１と、記録ディスクに書き込みや読み出しを行う磁気ヘッドが取り付けられたスライダを記録ディスク中の対応するディスクから離間させた状態にて保持する格納部２７及び持上げ突起を摺動させることによりサスペンション・アームが格納部２７へ出入りすることを容易にするガイド部２８とを有するアーム保持部２２とから構成される。
【００１２】
取付部２１とアーム保持部２２とは、ＰＴＦＥを含む高分子材料を用いて１回のインジェクション成形により一括成形される。また、螺子穴２５内に挿入して成形された金属スリーブ３０は、螺子締め付け時に螺子穴２５近傍に蓄積される応力を高分子材料部分に伝達され難くする。
【００１３】
取付部２１は、螺子穴２５及び金属スリーブ３０とその周囲のブラケット部２３により構成される。
【００１４】
アーム保持部２２は、各記録ディスクの上下面に各々対応するサスペンション・アームの持上げ突起を格納する格納部２７及びガイド部２８、さらに、各格納部２７及びガイド部２８を記録ディスクの重ね方向に整列するように支持部２４により支持されている。
【００１５】
格納部２７及びガイド部２８は、図１１（ａ）に示した上面側のみだけでなく、各記録ディスクを水平に２分して面対称の下面側にも形成されている。開口部２６には、その中に記録ディスク中の各ディスクの周縁部の一部が入り込む。即ち、各ガイド部２８の前端縁２９と開口部２６内の各ディスクとが非接触状態にて入り組む位置関係となる。ランプ２０は、上記位置関係を満足するように螺子を用いてハウジングに固定される。サスペンション・アームに取り付けられた持上げ突起は、アクチュエータ・アセンブリが記録ディスクから離れる方向に回動することにより、ガイド部２８の前端縁２９近傍にて持上げられて、ガイド部２８を摺動し、格納部２７に格納される。また、アクチュエータ・アセンブリが上記とは逆方向に回動することにより、持上げ突起は、格納部２７から出てガイド部２８を摺動し、ガイド部２８の前端縁２９からディスク上に解き放たれる。
【００１６】
図１１（ａ）に示したランプ２０は、情報記録ディスク装置のハウジングに螺子を用いて固定する場合、螺子を締め付けることにより、取付部２１中の螺子穴２５近傍に応力が蓄積されるので、その螺子の締め付け応力を緩和するために金属スリーブ３０を用いている。ところが、金属スリーブ３０を用いる場合であっても、ランプ２０を成形する際には、常温の金属スリーブ３０を所定の高温状態に管理された金型中に置いてインジェクション成形を行うため、ランプ２０中の金属スリーブ３０近傍には、成形時の温度差に基づく応力（熱応力）が蓄積される。特に成形時の金型温度がハードディスク・ドライブ装置の使用温度上限に近い８０℃〜９０℃に一旦上昇してから室温に戻った場合に、その熱応力は、螺子の締め付け応力と同様に、ガイド部２８の前端縁２９に変形を発生させる。
【００１７】
その応力は、時間の経過に従って、もしくは、ランプ２０が一旦高温になった後に不可逆的に周辺部を変形させ、ランプ２０の各部の寸法に狂いを生じさせる。即ち、ランプ２０には、螺子で固定することにより応力によってクリープ変形が発生する。ランプ２０中においてクリープ変形が特に問題になる部分は、螺子穴２５及びガイド部２８の前端縁２９である。
【００１８】
また、ガイド部２８の前端縁２９は、高速回転中の記録ディスク上のサスペンション・アーム１４（持上げ突起１５）を格納部２７へ滑らかに導いたり、逆に、格納部２７に格納されたサスペンション・アーム１４（持上げ突起１５）を高速回転中の記録ディスク上に滑らかに導いたりするために、記録ディスクに接触せず且つ離れすぎないような位置に設置される必要がある。つまり、ガイド２８の前端縁２９は、記録ディスクから所定距離範囲内に位置している必要があり、そのために、ガイド２８は、サスペンション・アーム１４を誘導するために適した位置に指示される必要がある。
【００１９】
ところが、取付部２１の螺子穴２５付近にクリープ変形が発生すると、図１１（ｂ）に示したように、その影響がガイド部２８に及び、ガイド部２８の前端縁２９が変形して記録ディスクから所定距離範囲内でなくなる。その結果、ランプ２０と記録ディスクとが外部からの衝撃により容易に接触してポリマー・パーティクルが発生する不具合が発生する。
【００２０】
次に、ガイド部２８の前端縁２９が記録ディスク１７から所定距離範囲内でなくなるということについて、図を用いてさらに説明する。
【００２１】
図１２は、図１１（ａ）のランプ２０とサスペンション・アームと記録ディスクとの位置関係を示す断面図である。
図１２では、ランプ２０は情報記録ディスク装置のハウジング１１に螺子３１により固定されており、ランプ２０に非接触状態にて入り組む配置となる３枚の記録ディスク１７（Ａ、Ｂ、Ｃ）と、ガイド部２８により記録ディスク１７の各ディスクから離間させられるサスペンション・アーム１４とが共に示されている。また、図１２中では描画物を判別する都合上から空間を設けて描いているが、例えば、ブラケット部２３の下面と支持部２４の下面はハウジング１１に接しさせて、ランプ２０をハウジング１１により支持されるようにしても良い。
【００２２】
ガイド部２８の前端縁２９が記録ディスクから所定距離範囲内でなくなるということは、記録ディスク上下の表面とランプ２０の切れ込み部との距離であるＬ１ｕｐとＬ１ｄｏｗｎが等しくなくなる場合が発生する。そして、Ｌ１ｕｐとＬ１ｄｏｗｎの片方が極端に小さくなる場合には、ハードディスク・ドライブ装置が稼動中の外部からの衝撃により、記録ディスク１７とランプ２０とが容易に接触してしまい、磁気記録の読み書きに支障をきたすことがあり得る。
【００２３】
また、Ｌ１ｕｐとＬ１ｄｏｗｎの距離が等しくなくなるため、同じ記録ディスクの上下面に設置されたスライダ（ヘッド）の記録ディスク上におけるロード、アンロードの位置に著しくずれを生じる。記録ディスク上の記録可能面積は、距離Ｌ２がより大きいヘッドにより決定される。即ち、スライダ（ヘッド）の記録ディスク上におけるロード、アンロードの位置が記録ディスクの内周方向に移動することで記録ディスク上の記録可能面積が減少してしまい、同じ記録密度の場合、全体の容量は少なくなるという不利益が生ずる。
【００２４】
また、ハードディスク・ドライブ装置の実機の極端な例としては、このガイド部２８の前端縁２９の移動により、記録されたデータを読み出せないこともあり得る。
【００２５】
なお、図１２中には、説明の都合上から、ガイド部２８により持上げられた位置にある場合の持上げ突起１５と、ディスク１７上の位置にある場合の持上げ突起１５の双方について示している。
【００２６】
また、ガイド部２８の前端縁２９が記録ディスクから所定距離範囲内でなくなるという不具合は、記録ディスク１７が高速回転中、即ち、情報記録ディスク装置の内部が高温状態である場合に発生しやすい。これは、高分子材料は、金属材料の数倍から１０数倍程度の熱膨張率を有していることから、記録ディスク１７が高速回転中のランプ２０におけるガイド部２８の前端縁２９が熱膨張により変形する際に、上記した熱応力或いは螺子締め付けによる応力の影響により、変形方向が変わるためと考えられる。
【００２７】
また、ガイド部２８の前端縁２９が記録ディスク１７から所定距離範囲内でなくなるという不具合は、情報記録ディスク装置１０内で積層される記録ディスク１７の枚数が多くなるほど発生しやすくなる。これは、記録ディスクの枚数が増加すると、ランプ２０における複数の記録ディスクの重なる方向への寸法が大きくなり、例えば、図１２における６個の前端縁２９を、磁気記録ディスク装置の上側からハウジング１１に接触する下側に向けて順にＡ１、Ａ２、Ｂ１、Ｂ２、Ｃ１、及び、Ｃ２で表わす場合、記録ディスク１７の最下層のディスクＣの下面に対応するガイド部２８の前端縁２９（Ｃ２）と、記録ディスク１７最上層のディスクＡの上面に対応するガイド部２８の前端縁２９（Ａ１）との間の距離Ｌ３が増大することから、各ガイド部２８の前端縁２９（Ａ１、Ａ２、Ｂ１、Ｂ２、Ｃ１、及び、Ｃ２）が熱膨張により変形する量も増大するためである。
【００２８】
図１３は、図１１及び図１２に示した従来のランプのガイド部２８の前端縁２９が温度により変形する量を示す図である。
【００２９】
図１３では、図１２における６個の前端縁２９（Ａ１、Ａ２、Ｂ１、Ｂ２、Ｃ１、及び、Ｃ２）の変形量を周囲温度の変化に対応させて測定した。
【００３０】
図１３に示すように、前端縁Ａ１と前端縁Ｃ２との間隔の変化（図１２の距離Ｌ３の変形による差分寸法ΔＬ）が１００℃の場合、約８５μｍとなっている。この間隔の値は、上記したように情報記録ディスク装置内で積層される記録ディスク１７の枚数が多くなるほど大きくなり、より深刻な問題となる。
【００３１】
上記したガイド部２８の前端縁２９の変形方向は、従来はＰ方向のみと考えられていたため、熱膨張率の小さい金属板（ステンレス板）を任意位置に接合穴を設けて支持部２４内に収まる形状に打ち抜き、支持部２４内に埋め込むことにより、前端縁２９のＰ方向の変形量を抑制する方法が考えられた。
【００３２】
図１４は、記録ディスクの枚数が図１１から図１３に示した従来例の倍の６枚である場合であって、さらに金属板を指示部２４に埋め込んだ場合の従来のランプにおけるガイド部２８の前縁端２９が温度により変形する量を示す図である。
【００３３】
図１４では、図１３と同様にして、６枚の記録ディスクの上下に対応する１２個のガイド部２８の前縁端２９（Ａ１、Ａ２、Ｂ１、Ｂ２、Ｃ１、Ｃ２、Ｄ１、Ｄ２、Ｅ１、Ｅ２、Ｆ１、及び、Ｆ２）の変形量を周囲温度の変化に対応させて測定した。また、１枚目の記録ディスクＡの上下面に対するガイド部２８の前縁端２９であるＡ１とＡ２との間隔の長さをＬ６とし、同様に２枚目の記録ディスクＢの上下面に対する前縁端２９であるＢ１とＢ２との間隔の長さをＬ７とし、３枚目の記録ディスクＣに対するＣ１とＣ２との間隔の長さをＬ８とし、４枚目の記録ディスクＤに対するＤ１とＤ２との間隔の長さをＬ９とし、５枚目の記録ディスクＥに対するＥ１とＥ２との間隔の長さをＬ１０とし、６枚目の記録ディスクＦに対するＦ１とＦ２との間隔の長さをＬ１１とした。
【００３４】
図１４に示すように、金属板を指示部２４に埋め込んだことにより、前端縁Ａ１と前端縁Ｆ２との間隔の変化（前端縁Ａ１と前端縁Ｆ２との間隔Ｌ６のΔＬ）は、１００℃の場合でも図１３の半分以下の約４０μｍとなっているので、ランプ全体としては問題の生じにくいレベルに減少している。しかし、例えば、前端縁Ａ１と前端縁Ａ２との間隔Ｌ６の変化は約３１μｍ、同様に間隔Ｌ７の変化は約３６μｍ、間隔Ｌ１０の変化は約３５μｍ、間隔Ｌ１１の変化は約３５μｍとなっており、個々の記録ディスク毎に見た場合には、ガイド部２８の前縁端２９の変形量は問題の生じにくいレベルまで減少していない。
【００３５】
また、ガイド部２８の前端縁２９の変形量を抑制するためには、本発明者らによる特許出願番号２０００−３１９８５号に示したように、取付部についてはアーム支持部と異なる熱膨張率の小さい高分子材料を用いて２色成形（２種材料連続成形）することにより、前端縁２９のＰ方向の変形量を抑制することが行われていた。
【００３６】
【発明が解決しようとする課題】
しかしながら、ガイド部２８の前端縁２９の変形方向は、本発明の発明者の研究により、記録ディスク面に対して平行なままの積層方向（Ｐ方向）だけでなく、さらに、前端縁２９が記録ディスク面からモーメント的に開いて遠ざかる（めくれあがる）方向（Ｑ方向）、及び、前端縁２９近辺の側端縁が記録ディスク面からモーメント的に開いて遠ざかる（めくれあがる）方向（Ｒ方向）の３方向であることが発見されたため、変形量を抑制するためには、従来のＰ方向の変形に対する対策にくわえて、Ｑ方向やＲ方向の変形にも対策が必要であることがわかってきた。
【００３７】
前端縁２９のＱ方向やＲ方向の変形は、特に、記録ディスクを挟む方向で背中合わせの２個のガイド部２８間をそのガイド部２８と同材料で連結する橋梁部４０が熱膨張することによる図１１（ｂ）に示したＺ方向の変形が原因と考えられる。
【００３８】
また、熱膨張率の小さい材料である金属板や２色成形を用いる場合には、熱膨張率の大きい材料を用いるガイド部と熱膨張率の小さい材料との係合部分の位置が前端縁２９から遠くなると、モーメントの腕に相当するガイド部の一部分が延伸され、Ｑ方向やＲ方向の変形量が増大すると考えられる。
【００３９】
また、特にＲ方向のモーメント的な変形量は、モーメントの腕に相当するガイド部２８の前端縁２９の横幅寸法が大きい場合には、変形量が増大すると考えられる。
【００４０】
従って、本発明の目的は、上記した変形量を増大させる原因を軽減もしくは無くして、熱膨張によるガイド部の前端縁の変形、特に、記録ディスクの積層方向にくわえて、その前端縁がモーメント的に開く方向、及び、その前端縁の側端縁がモーメント的に開く方向への変形量をも減少させたランプを提供することにある。
【００４１】
上述の目的を達成するため、本発明の情報記録ディスク装置用ランプでは、サスペンション・アーム毎に個別に形成され、このサスペンション・アームを摺動させることにより格納場所に誘導する少なくとも２個の前縁部が互いに分離されたガイド部と、これら各ガイド部を所定位置に支持するこれら２個のガイド部よりも熱膨張率の小さい高分子材料を用いて形成されるガイド支持部材とを備え、このガイド支持部材は、分離されたガイド部の支持面とは反対側の面同士の間にてガイド部と係合するガイド間隙部からなる第１の係合部を有し、各ガイド部は、この第１の係合部に係合する第２の係合部を有するものとする。
【００４８】
また、本発明の情報記録ディスク装置用ランプでは、前記第１の係合部は、ガイド支持部材における各ガイド間隙部に設けられ、前記第２の係合部は、ガイド部における前記第１の係合部と対向する位置に設けられることを特徴とする。
【００４９】
また、本発明の情報記録ディスク装置用ランプでは、前記第１の係合部及び第２の係合部は、相互に形状が組合わさる鈎型であることを特徴とする。
【００５１】
【発明の実施の形態】
以下、本発明を図示した実施形態に基づいて説明する。
【００５２】
図１は、本発明の一実施形態のランプが設けられた磁気記録ディスク装置を示す平面図である。
【００５３】
図１の磁気記録ディスク装置１０は、ハウジング１１の中に記録ディスク１７と回動型アクチュエータ・アセンブリ１２とボイス・コイル・モータ１６とランプ２０とを収納し内部に気密空間を形成している。記録ディスク１７は、上面と下面に各々磁気記録層が設けられた複数の円盤状のディスクが積層されてスピンドル軸１８に固着され、各ディスクは図示しないスピンドル・モータによりスピンドル軸１８と共に回転される。記録ディスク１７の各ディスクの上面及び下面は各々が情報記録面として使用され、各々の面に対して図示しない専用の磁気ヘッドが用いられる。アクチュエータ・アセンブリ１２は、情報記録面の数に等しい数のサスペンション・アーム１４が積層されてピボット軸１３に支持される。各サスペンション・アーム１４の先端部には各ディスクの上下の情報記録面を走査する磁気ヘッドを備えたスライダ１９が取り付けられ、さらにサスペンション・アーム１４の先端部には持上げ突起１５が取り付けられている。
【００５４】
アクチュエータ・アセンブリ１２は、ボイス・コイル・モータ１６によりピボット軸１３を中心に回動し、磁気ヘッドを備えたスライダ１９を記録ディスク１７の表面上にロードしたり、スライダ１９をランプ２０にアンロードしたりする。サスペンション・アーム１４は、弾性体材料により形成されており、各アームに取り付けられた各スライダ１９が記録ディスク１７中の対応するディスクの表面に近づく方向に付勢されている。記録ディスク１７の回転によりスライダ１９に生じた浮揚力とサスペンション・アーム１４の弾力とのバランスがとれることにより、スライダ１９は、回転中の記録ディスク１７の表面から一定の距離を維持して浮上する。
【００５５】
ランプ２０は、記録ディスク１７の周辺であってその前端縁２９が記録ディスク１７中の各ディスクと交互に非接触状態にて入り組む位置に、螺子３１を用いて磁気記録ディスク装置１０のハウジング１１に固定される。ランプ２０は、ランプ２０をハウジング１１に取り付けるための取付部２１と、サスペンション・アーム１４を記録ディスク１７から離間させて保持する格納部２７と、スライダ１９を保持したサスペンション・アーム１４を摺動させるガイド部２８と、ガイド部２８及び格納部２７を支持する支持部２４とから構成される。また、サスペンション・アーム１４がガイド部２８から記録ディスク１７上へ放出されるか、サスペンション・アーム１４が記録ディスク１７上からガイド部２８に格納される際の、ガイド部２８のアプローチ部分の最先端が前端縁２９である。また、ランプ２０中のガイド部２８及び格納部２７は、各サスペンション・アーム１４毎に個別に設けられる。
【００５６】
図２は、本発明のランプのガイド部及びガイド支持部材の設計概念を示す斜視図である。図２（ａ）では、本発明のガイド部とガイド支持部材とを個別に示し、図２（ｂ）では、本発明のガイド部とガイド支持部材とを係合した場合を示した。なお、図２（ａ）、（ｂ）に示した本発明のランプは、両面使用の記録ディスクを３段重ねた場合の各サスペンション・アームを保持するタイプである。
【００５７】
図２（ａ）、（ｂ）に示すように、本発明のランプでは、熱膨張率の比較的小さい材料で形成されたガイド支持部材５１に、熱膨張率は比較的大きいがサスペンション・アームを摺動させるために摩擦が少ない材料で形成されたガイド部２８を係合するための第１の係合部であるガイド支持穴５２が各ガイド部２８毎に個別に設けられ、ガイド部２８の支持面側にも個別に第２の係合部であるガイド支持凸部５７が設けられる。ガイド支持穴５２にガイド支持凸部５７が係合されることにより、図２（ｂ）に示したようにガイド支持部材５１と各ガイド部２８とは一体化される。
【００５８】
なお、ガイド支持穴５２及びガイド支持凸部５７は、係合に充分な強度を有するだけの面積の領域がガイド部接触面２８ａ内に入っていれば良いので、例えば、ガイド部接触面２８ａからはみ出した部分の領域が有っても良い。
【００５９】
このように、熱膨張率の比較的小さいガイド支持部材５１に各ガイド部２８を個別に係合するためのガイド支持穴５２を設けると共に、熱膨張率の比較的大きい各ガイド部２８に個別にガイド支持凸部５７を設けてガイド支持部材５１と係合させることにより、従来のように任意位置や各ガイド部２８の間となるガイド間隙部５３にガイド支持穴を設ける場合に比べて、ガイド部２８の前端縁２９が記録ディスク面に対して平行なまま積層方向（Ｐ方向）の熱膨張による変形量を抑えることができる。
【００６０】
また、ガイド支持部材５１中におけるガイド支持穴５２が設けられる位置は、ガイド支持部材５１が各ガイド部２８と接触する各ガイド部接触面２８ａで最も前端縁２９に近い側である最短となる位置とする。この場合の最短の意味は、単純に距離的な要素のみにより限定的に解釈されるものではなく、ガイド部２８とガイド支持部材５１が係合された場合の強度等のガイド部２８およびガイド支持部材５１に要求される諸条件を満足したうえで、前縁端２９に極力近くなるように考慮するという広義で解釈されるべきものである。なお、ガイド支持部材５１は、記録ディスク１７及びサスペンション・アーム１４と接触しないように寸法設定されていることとする。また、ガイド部２８側のガイド支持凸部５７は、上記したガイド支持穴５２に対向する位置に、ガイド支持穴５２の寸法に適合させて設けられる。
【００６１】
このように、熱膨張率の比較的小さいガイド支持部材５１中のガイド支持穴５２が設けられる位置を、各ガイド部２８の前端縁２９側に近づけることにより、前端縁２９が変形する際のモーメントの腕に相当するガイド支持穴５２から前端縁２９の解放側側面端までの長さが最小限になるので、前端縁２９のＱ方向やＲ方向の変形量を抑えることができる。
【００６２】
また、１つのガイド部２８は、強度等の事情が許す限り他のガイド部２８とは極力分離された形状で個別に成形される。ガイド部２８の少なくとも前端縁２９とガイド支持穴５２との間には、隣接するガイド部２８との間をガイド部２８と同材料で連結する橋梁部は設けないようにする。特に、各ガイド部における支持面と反対側の面同士を連結する橋梁手段を設けないようにする。
【００６３】
なお、この場合の橋梁部とは、その部分の熱膨張により両端に位置するガイド部の前端縁やその側面端縁を広げる方向に応力を与えるものである。従って、例えば、隣接するガイド部間をガイド部と同材料で接続する形状であるが、ガイド支持部材５１上を膜状につなぐものや、ガイド支持部材５１側のみをガイド部２８の幅よりも充分に狭い幅で接続するものは、その熱膨張により両端のガイド部２８に充分な応力を与えるとは考えられないので、本発明の橋梁部から除外して考えても良い。
【００６４】
これにより、橋梁部の熱膨張によりガイド部２８をＱ方向やＲ方向に変形させようとする力が発生しなくなるので、より、前端縁２９のＱ方向やＲ方向の変形量を抑えることができる。
【００６５】
次に、各ガイド部２８の前端縁２９の幅寸法を最小にする設計手法について説明する。
【００６６】
図３は従来のサスペンション・アームとランプとの相対位置関係を示す図であり、図４は本発明のサスペンション・アームとランプとの相対位置関係を示す図である。
【００６７】
従来の設計手法では、図３に示したように、サスペンション・アーム１４の格納時の中心線ＳＬ１とサスペンション・アーム１４の先頭に設けられた持上げ突起１５の先端が描く円弧との交点における接線ＴＬ１と、支持部２４のガイド部２８側の支持面ＭＦ１とが平行になるようにランプ２０を設計していた。そのため、ガイド部２８と持上げ突起１５との間のセーフティマージンＴと、支持部２４と持上げ突起１５との間のセーフティマージンＵに、持上げ突起１５の先端が描く円弧の半径成分Ｗが加わっていたので、前端縁２９の幅寸法Ｓは格納部２７の幅寸法よりも大きくなっていた。
【００６８】
それに対して、本発明の設計手法では、図４に示したように、図３のサスペンション・アーム１４が格納角シータだけ移動してガイド部２８の前端縁２９から記録ディスク１７に放出される際の中心線ＳＬ２とサスペンション・アーム１４の先頭に設けられた持上げ突起１５の先端が描く円弧との交点における接線ＴＬ２と、支持部２４のガイド部２８側の支持面ＭＦ２とが平行になるように、即ち、図３の支持部２４を、中心線ＳＬ２と持上げ突起１５の先端が描く円弧との交点を中心として、従来の支持部の角度から格納角θ１と同じシフト角θ２だけシフトさせるようにしてランプ６０を設計する。
【００６９】
すると、ガイド部２８の前端縁２９の幅寸法Ｖは、ガイド部２８と持上げ突起１５との間のセーフティマージンＴと、支持部２４と持上げ突起１５との間のセーフティマージンＵのみとなるので、格納部２７の幅寸法よりも小さくなり、必要最小限の幅寸法となる。なお、例えば図４における支持部２４の長手側直線部の途中を折り曲げる形状に形成したり、支持部２４の長手側を円弧状に形成することにより、サスペンション・アーム１４の格納時の先頭を支持面２８に近づけることも可能である。
【００７０】
また、図４では、支持部２４の支持面ＭＦ２を、接線ＴＬ２と平行の直線状にしたが、例えば、支持面ＭＦ２を、持上げ突起１５の先端が描く円弧と平行な円弧状にすることで、格納部２７の幅寸法を従来と同様な寸法に抑えることができる。その結果、ブラケット部も従来と同様の寸法にできるので、前端縁２９の幅寸法Ｖを小さくしても、磁気記録ディスク装置のハウジング寸法も従来と同様の寸法内に収まることになる。
【００７１】
このようにして、モーメントの腕に相当するガイド部２８の前端縁２９の横幅寸法Ｖを最小限に設計できるので、前端縁２９のＲ方向のモーメント的な変形量をより抑えることができる。
【００７２】
（第１の実施形態）
図５は、本発明の第１の実施形態のランプの構成を示す斜視図であり、図６は、（ａ）が図５のランプの前端縁を含む一部のガイド部を拡大して示す側面図であり、（ｂ）が（ａ）の正面図であって、例えば、図１のＡ−Ａ断面を矢印Ｚ方向から見た断面図の一部に相当する図である。
【００７３】
本実施形態のガイド支持部材７１は、ステンレス板等の金属板を打ち抜いて形成され、図２に示した基本的なガイド支持部材５１に追加機能を付与する構成を追加したものである。また、図５、図６に示した本実施形態のランプ７０と、図１１、１２に示した従来のランプ２０と主に異なる点は、ランプ７０では、支持部７４内にステンレス板等からなるガイド支持部材７１が埋め込まれており、ガイド部２８とガイド支持部材７１とを係合する接続部（ガイド支持穴７２、ガイド支持凸部７７）を各ガイド部毎に、且つ、極力ガイド部の前端縁２９寄りに設ける点と、ガイド部２８と同材料による従来の橋梁部４０が無くなって代わりに傾倒防止支持部７５が形成される点と、図４に示したように支持部７４へのガイド部２８の取付角度の違いから前端縁２９の寸法が異なる点となる。
【００７４】
なお、本実施形態のランプ８０は、図１２に示した従来のランプ２０と同様に、図１に示した情報記録ディスク装置１０のハウジング１１に螺子３１により固定されており、ランプ８０に非接触状態にて入り組む配置となる３枚の記録ディスク１７（Ａ、Ｂ、Ｃ）と、ガイド部２８により記録ディスク１７の各ディスクからサスペンション・アーム１４を離間させるようになっている。
【００７５】
本実施形態のガイド支持部材７１では、射出成形後のステンレス板とガイド部２８の構成材料との接合性が良いことから、前端縁２９の変形量を抑えるために、記録ディスク１７を挟み込む部分を除いて櫛歯状にガイド部２８の前端縁２９まで延伸した前端縁支持部７３を有する構成とした。
【００７６】
ガイド支持部材７１におけるガイド部２８を支持するためのガイド支持穴７２は、ガイド支持部材７１のガイド部接触面２８ａ上であって、且つ、櫛歯状に延伸された前端縁支持部７３を除くガイド間隙部７６に近い位置に設けられる。なお、図２でも説明したように、ガイド支持穴７２及びガイド支持凸部７７は、係合に充分な強度を有するだけの面積の領域がガイド部接触面２８ａ内に入っていれば良いので、例えば、図５或いは図６に示したようにガイド部接触面２８ａからはみ出した部分の領域が有っても良い。
【００７７】
また、ガイド部２８のガイド支持凸部７７には、ガイド部２８が記録ディスク１７側に転倒することを防止するためにガイド部２８と同材料で形成される傾倒防止支持部７５が設けられる。この傾倒防止支持部７５は、各ガイド部２８同士を連結して橋梁部とならないように、上記したガイド支持凸部７７がガイド部接触面２８ａからはみ出した部分の領域に設けられる。
【００７８】
傾倒防止支持部７５は、特に、各ガイド部２８におけるガイド支持部材７１と反対側の面同士を連結する橋梁部にならないように設けられるが、上記したように、各ガイド部２８間をガイド支持部材７１上に沿って膜状につなぐものや、ガイド支持部材７１側のみをガイド部２８の幅よりも充分に狭い幅で接続するものについては、熱膨張時にガイド部に与える応力が小さいので、橋梁部の定義から除外して考えても良い。
【００７９】
図７は、図５及び図６に示した本実施形態のランプ８０を、図１４との比較のために６枚ディスクタイプとした際の、ガイド部２８の前端縁２９が温度により変形する量を示す図である。
【００８０】
図７は、従来の６枚ディスクタイプの金属板（メタルプレート）入りランプを測定した図１４と同様に、６枚の記録ディスクの上下に対応する１２個のガイド部２８の前縁端２９（Ａ１、Ａ２、Ｂ１、Ｂ２、Ｃ１、Ｃ２、Ｄ１、Ｄ２、Ｅ１、Ｅ２、Ｆ１、及び、Ｆ２）の変形量をを周囲温度の変化に対応させて測定した。
【００８１】
また、図１４と同様に、１枚目の記録ディスクＡの上下面に対するガイド部２８の前縁端２９であるＡ１とＡ２との間隔の長さをＬ６とし、同様に２枚目の記録ディスクＢの上下面に対する前縁端２９であるＢ１とＢ２との間隔の長さをＬ７とし、３枚目の記録ディスクＣに対するＣ１とＣ２との間隔の長さをＬ８とし、４枚目の記録ディスクＤに対するＤ１とＤ２との間隔の長さをＬ９とし、５枚目の記録ディスクＥに対するＥ１とＥ２との間隔の長さをＬ１０とし、６枚目の記録ディスクＦに対するＦ１とＦ２との間隔の長さをＬ１１とした。
【００８２】
図７に示すように、本実施形態では、前端縁Ａ１と前端縁Ｆ２との間隔の変化（前端縁Ａ１と前端縁Ｆ２との間隔Ｌ６のΔＬ）は、１００℃の場合に図１４の約４０μｍよりも少ない約２９μｍとなっており、ランプ全体としても変化量は減少している。次に、前端縁Ａ１と前端縁Ａ２との間隔Ｌ６の変化は約１７μｍ、同様に間隔Ｌ７の変化は約８μｍ、間隔Ｌ１０の変化は約１３μｍ、間隔Ｌ１１の変化は約１３μｍとなっており、個々の記録ディスク毎に見た場合にも、ガイド部２８の前縁端２９の変形量が問題の生じにくいレベルまで減少している。つまり、本実施形態では、アーム保持部の上下端のガイド部２８の前端縁２９間の変形量に加えて、個々の記録ディスク毎のガイド部２８の前縁端２９の変形量も減少させることができている。
【００８３】
上記から、本実施形態のランプ７０では、温度サイクル試験を実施した場合に、アーム保持部のガイド部２８の前端縁２９全体の熱膨張を減少させることができることがわかる。
【００８４】
従って、本実施形態のランプ７０では、従来のランプよりも記録ディスクの重ね（積層）方向の熱膨張率も減少していることから、サスペンション・アーム１４が移動中に金属パーティクルを発生する不具合の可能性を減らすことができる。
【００８５】
以上のように本実施形態のランプ７０は、図２〜図４を用いて説明した本発明の基本的な構成と同様な構成を備えていることから本発明特有の効果を有している。
【００８６】
具体的には、ランプ７０は、図５に示すように背中合わせで隣接する格納部２７側は同じ材料で連結されているものの、ガイド支持穴７２及びガイド支持凸部７７が係合していることから、この格納部２７の連結部分等が熱膨張することにより、ガイド支持凸部７７を超えてガイド部２８の前端縁２９が記録ディスク面に対して平行なまま積層方向（Ｐ方向）に変形する量は少なくなる。
【００８７】
また、本実施形態では、ガイド支持穴７２及びガイド支持凸部７７を、各ガイド部２８毎に設けると共に、その設ける位置を極力前端縁２９に近づけて最短となる位置であるように構成したので、前端縁２９のＱ方向やＲ方向の変形量を少なくすることができる。
【００８８】
また、本実施形態では、各ガイド部２８の前端縁２９は、図４に示した前端縁幅Ｖとなるように設計されるので、図３に示した従来のガイド部の前端縁よりも幅が狭くなり、より前端縁２９のＱ方向やＲ方向の変形量を少なくすることができる。
【００８９】
また、傾倒防止支持部７５を、各ガイド部２８におけるガイド支持部材７１と反対側の面同士を連結する橋梁部にならないように設けたことにより、より前端縁２９のＱ方向やＲ方向の変形量を抑えることができると共に、従来の橋梁部４０を削除してもガイド部２８の記録ディスク面側への転倒を防止することができる。
【００９０】
また、本実施形態では、ガイド支持部材７１に櫛形の前端縁支持部７３を設けたので、より前端縁２９のＱ方向やＲ方向の変形量を抑えることができる。
【００９１】
（第２の実施形態）
上記した第１の実施形態では、本発明のガイド支持部材としてステンレス板を用いた場合を示したが、本発明の発明者のうちの何人かは、特許出願番号２０００−３１９８５号に示したように、取付部にアーム保持部と異なる熱膨張率の小さい高分子材料を用いて２色成形（２種材料連続成形）するランプを発明している。そこで、以下の第２の実施形態では、２色成形によりランプを形成する場合の実施形態を説明する。
【００９２】
図８は、本発明の第２の実施形態のランプの構成を示す斜視図であり、図９は、（ａ）が図８のランプの前端縁を含む一部のガイド部を拡大して示す側面図であり、（ｂ）が（ａ）の正面図であって、例えば、図１のＡ−Ａ断面を矢印Ｚ方向から見た断面図の一部に相当する図である。
【００９３】
本実施形態における、図２に示した基本的なガイド支持部材５１に相当する部分は支持部８３全体であり、図２に示した基本的なガイド支持部材５１にブラケット部２３の機能及び熱膨張による寸法変化抑制機能を付与する構成を追加している。
【００９４】
また、図８、図９に示した本実施形態のランプ８０と、図１１、図１２に示した従来のランプ２０と主に異なる点は、ランプ８０では、支持部８３とアーム保持部８２とが異なる材料の２色成形で構成されており、両者を係合する鈎形状の接続部（鈎部９１、９２、９４、ガイド支持凸部９３等）を各ガイド部毎に有し、特にガイド支持凸部９３及びガイド支持凹部８５を極力ガイド部の前端縁２９寄りに設ける点と、アーム保持部８２（ガイド部２８）と同材料による従来の橋梁部４０が無くなって支持部８３と同材料によるガイド間隙部８４が形成される点と、図４に示したように支持部８３へのガイド部２８の取付角度の違いから前端縁２９の寸法が異なる点となる。
【００９５】
なお、本実施形態のランプ８０も、図１２に示した従来のランプ２０と同様に、図１に示した情報記録ディスク装置１０のハウジング１１に螺子３１により固定されており、ランプ８０に非接触状態にて入り組む配置となる３枚の記録ディスク１７（Ａ、Ｂ、Ｃ）と、ガイド部２８により記録ディスク１７の各ディスクからサスペンション・アーム１４を離間させるようになっている。
【００９６】
また、図８のランプ８０は、ガイド支持凹部８５を有するブロック部品である取付部８１と、記録ディスク１７に書き込みや読み出しを行う磁気ヘッドが取り付けられたスライダ１９を記録ディスク１７中の対応するディスクから離間させた状態にて保持する格納部２７及び持上げ突起１５を摺動させることによりサスペンション・アーム１４が格納部へ出入りすることを容易にするガイド部２８とを有するブロック部品であるアーム保持部８２と、が組み合わされて構成されるように設計される。
【００９７】
なお、図８は、説明の便宜上から取付部８１とアーム保持部８２とを２つのブロック部品として分離させて描いているが、両者の接続面には後述するように掛止手段であるアンダカット形状の穴部及び鈎部等が成形中に設けられ、そのアンダカット形状の穴部と鈎部等が嵌合するように成形されているため、取付部８１とアーム保持部８２とを分離することはできない。
【００９８】
また、本実施形態のランプ８０は、図１１（ａ）に示した一括成形された従来のランプ２０と異なり、取付部８１と、アーム保持部８２とが異なる高分子材料により成形される。
【００９９】
ここで、本実施形態のランプ８０の２色成形方法について、簡単に説明する。
【０１００】
取付部８１を成形する高分子材料としては、熱膨張率が小さくクリープ変形の少ない材料を選択する。例えば、ポリ・エーテル・イミド（ＰＥＩ）、ポリ・イミド（ＰＩ）、ポリ・カーボネート（ＰＣ）、ポリ・エーテル・サルフォン（ＰＥＳ）、及び、ポリ・フェニレン・サルファイド（ＰＰＳ）が好適である。また、上記以外の高分子材料であっても、例えば、グラスファイバ或いはカーボンファイバにより強化された高分子材料は、強化されていない高分子材料と比較して熱膨張率が小さくクリープ変形が少なくなる。従って、グラスファイバ或いはカーボンファイバにより強化された高分子材料を選択することもできる。本実施形態では、ＰＥＩを選択し、ＧＥプラスチック社のウルテム１０００（商標）を用いて取付部８１を成形している。
【０１０１】
アーム保持部８２を成形する高分子材料としては、ガイド部２８の長手方向への伸びが抑制され、摩擦係数が低く、耐磨耗特性が良いことが必要なことからリキッド・クリスタル・ポリマー（ＬＣＰ）を選択し、hoechst-Celanese,Inc.から、商品名ＶＥＣＴＲＡ  Ａ４３０を用いた。ＶＥＣＴＲＡ  Ａ４３０は、４−ヒドロキシ安息香酸と６−ヒドロキシ−２−ナフトエ酸（ＨＡＨＮ）のコポリエーテルである。ＨＡＨＮは、低い摩擦係数と優れた磨耗特性を有する。また、ＨＡＨＮは、高度に異方性の熱膨張係数を有し、従って２つの熱膨張係数を有する。但し、本実施形態のＬＣＰには、ガイド部２８の摩擦係数を減少させるために、ポリ・テトラ・フルオロ・エチレン（ＰＴＦＥ）が混合されている。
【０１０２】
一般的に、ＬＣＰとＰＥＩとは非常に融合しにくく、通常の２色成形の技法を用いて成形しても両材料が接触面において融合することは少ない。さらに、本実施形態のＬＣＰにはＰＴＦＥが混合されており、ＰＴＦＥをＬＣＰに混入することは、ＬＣＰとＰＥＩとの融合を阻害するように機能するので、通常の２色成形の技法を用いて成形してもＬＣＰとＰＥＩとの接触面は全く融合しない。
【０１０３】
そこで、本実施形態では、取付部８１側のアーム保持部８２との接続面に掛止手段であるガイド支持凹部８５、固定穴部８６、及び、８７を、通常の金型成形手法或いはアンダカット等の手法を用いて形成し、アーム保持部８２側の取付部８１との接続面にはガイド支持凸部９３、鈎部９１、及び、９２を、やはり通常の金型成形手法或いはアンダカット等の手法を用いて形成している。なお、アンダカット形状とは、成形品を金型から抜き出す際に成形品を変形させるか特殊な金型構造を用いなければ離型が不可能な成形品の一部、或いは、そのような成形品の繰り抜いた部分である。特殊な金型構造とは、例えば、金型にはめ込むルーズコア、金型の開閉に伴い金型内部にて摺動するスライドコア或いはスライドピン等を取り付けた金型の構造である。つまり、アンダカット形状とは、通常の金型では成形できないような、抜き方向に対し側方に突出した部分を有する形状である。
【０１０４】
また、本実施形態の取付部８１用の高分子材料ＰＥＩと、アーム保持部８２用の高分子材料ＬＣＰとは、同一の金型温度にて成形可能なものが選択されている。これは、成形時に取付部８１とアーム保持部８２の一方や他方に対し、成形時に残留応力を与えないようにするためである。また、両部８１、８２を成形する高分子材料として、成形する際の金型に要求される温度条件中に同一金型温度範囲を有する高分子材料を選択することにより、１個の金型中に両部８１、８２を成形する型部を設けることができるようにしている。
【０１０５】
本実施形態の成形方法としては、まず、取付部８１が、ＰＥＩ等の熱膨張率が小さくクリープ変形の小さい高分子材料を用いて成形され、それに続けて、アーム保持部８２が、ＰＴＦＥを含むＬＣＰ等の長手方向への伸びが少なく摩擦係数が小さい高分子材料を用いて成形される。
【０１０６】
上記した本実施形態の２色成形方法の他の事項および詳細については、本発明者による特許出願番号２０００−３１９８５号に示した方法と同様となる。
【０１０７】
上記のようにして成形した本実施形態のランプ８０のガイド部２８の前端縁２９が、温度に応じて変形する量について以下に説明する。
【０１０８】
図８及び図９に示したランプ８０は、上記したように熱膨張率が比較的小さい高分子材料を用いた取付部８１と、低い摩擦係数と優れた磨耗特性を有するが熱膨張率は比較的大きい高分子材料を用いたアーム保持部８２（ガイド部２８）とが２色成形されており、その両者の係合部が各ガイド部２８毎に個別に設けられている。そのため、図１１（ｂ）に示したガイド部２８の前端縁２９がＰ方向に変形しようとする変化量を抑えることができる。
【０１０９】
また、ランプ８０は、上記したようにガイド間隙部８４を有しており、取付部８１と同材料で設けられるガイド間隙部８４、及び、ガイド部２８におけるガイド間隙部８４と対向する面に、各ガイド部２８毎に個別に設けられる係合部は、記録ディスク１７との接触を回避する条件下において、前端縁２９に極力近い（最短となる）位置に設けられる。これにより、前端縁２９が変形する際のモーメントの腕に相当するガイド支持凹部８５から前端縁２９までの長さが最小限になり、熱膨張率の比較的大きい橋梁部も無いので、図１１（ｂ）に示したガイド部２８の前端縁２９がＱ方向及びＲ方向に変形しようとする変化量を抑えることができる。
【０１１０】
また、本実施形態のランプ８０の各ガイド部２８の前端縁２９は、図４に示した前端縁幅Ｖとなるように設計されるので、図３に示した従来のガイド部の前端縁よりも幅が狭くなり、より変形量を少なくすることができる。
【０１１１】
図１０は、図８及び図９に示した本実施形態のランプ８０のガイド部２８の前端縁２９が温度により変形する量を示す図である。
【０１１２】
図１０は、従来のランプ２０を測定した図１３と同様に、図８における６個の前端縁２９（Ａ１、Ａ２、Ｂ１、Ｂ２、Ｃ１、及び、Ｃ２）の変形量を温度の変化に対応させて測定した。
【０１１３】
図１０に示したランプ８０のグラフと図１３に示したランプ２０のグラフとの最も顕著な相違点は、図１０のランプ８０のグラフでは、前端縁Ａ１と前端縁Ｃ２との間隔（図１０の距離Ｌ３の変形による差分寸法ΔＬ）が１００℃の場合、約４９μｍとなっており、図１３に示した従来のランプ２０の場合（約８５μｍ）よりも減っている点である。また、それに関連して、前端縁Ａ１、Ａ２或いはＣ２の各変形量も減少している。つまり、アーム保持部８２の上下端のガイド部２８の前端縁２９間の変形量、上端或いは下端の各ガイド部２８の前端縁２９の変形量が減少している。
【０１１４】
上記から、本実施形態のランプ８０では、温度サイクル試験を実施した場合に、アーム保持部８２のガイド部２８の前端縁２９全体の熱膨張を減少させることができることがわかる。
【０１１５】
従って、本実施形態のランプ８０では、従来のランプ２０よりも記録ディスクの重ね（積層）方向の熱膨張率も減少していることから、サスペンション・アーム１４が移動中に金属パーティクルを発生する不具合の可能性を減らすことができる。
【０１１６】
また、従来のランプ２０のようにアーム保持部８２を構成するＬＣＰを用いて橋梁部４０のような肉厚部を成形する場合には、成形品を室温に冷却する際に、その肉厚部の表面に窪みである「ひけ」が発生しやすいという不都合点を有していた。そのため、ＬＣＰを用いて橋梁部４０の肉厚部を成形する場合には、橋梁部４０の肉厚部の中央部を繰り抜いた形状にして肉厚を薄くする等が必要であった。ところが、本実施形態のガイド間隙部８４を構成する高分子材料ＰＥＩは、アーム保持部８２を構成するＬＣＰに比べて熱膨張率が小さくクリープ変形の小さい材料であることから、「ひけ」を発生させないで成形することができる。これによりハードディスク・ドライブ装置用部品の成形時及び組み立て時等に求められる洗浄工程の洗浄液の乾きが良いため後工程等の時間短縮が可能という利点が発生する。
【０１１７】
以上のように本実施形態のランプ８０は、取付部８１とアーム保持部８２のように複数のブロック部品に分割されており、各ブロック部品毎に異なる高分子材料が用いられており、さらに、各ブロック部間の接続面に形成された掛止手段により一体化されており、且つ、図２〜図４を用いて説明した本発明の基本的な構成と同様な構成を備えていることから本発明に特有の効果を有している。
【０１１８】
具体的には、ランプ８０は、ガイド支持凹部８５及びガイド支持凸部９３が係合していることから、ガイド部２８が熱膨張することにより、ガイド支持凸部９３を超えてガイド部２８の前端縁２９が記録ディスク面に対して平行なまま積層方向（Ｐ方向）に変形する量は少なくなる。
【０１１９】
また、本実施形態では、ガイド支持凹部８５及びガイド支持凸部９３を、各ガイド部２８毎に設けると共に、その設ける位置を極力前端縁２９に近づけて最短となる位置であるように構成したので、前端縁２９のＱ方向やＲ方向の変形量を少なくすることができる。
【０１２０】
また、本実施形態でも、各ガイド部２８の前端縁２９は、図４に示した前端縁幅Ｖとなるように設計されるので、図３に示した従来のガイド部の前端縁よりも幅が狭くなり、より前端縁２９のＱ方向やＲ方向の変形量を少なくすることができる。
【０１２１】
また、本実施形態では、各ガイド部２８及び格納部２７を分離させると共に、各ガイド部２８の傾倒を防止するガイド間隙部８４を取付部８１と同材料で設けたことにより、より前端縁２９のＱ方向やＲ方向の変形量を抑えることができると共に、従来の橋梁部４０を削除してもガイド部２８の記録ディスク面側への転倒を防止することができる。
【０１２２】
また、上記した第１の実施形態のランプ７０または第２の実施形態のランプ８０を磁気記録ディスク装置に用いる場合には、ガイド部２８の前端縁２９の変形量が少ないランプを用いることになるので、サスペンション・アーム１４をロードするとき或いはアンロードするときの磁気ヘッド（スライダ１９）と記録ディスク１７が接触する不具合を減少させることができる。
【０１２３】
また、上記した各実施形態の係合部となるガイド支持穴７２及びガイド支持凸部７７、或いは、ガイド支持凹部８５及びガイド支持凸部９３は、各々の凹部と凸部を逆にしても同様な効果を得ることができる。また、本実施形態の係合部であるガイド支持凹部８５、固定穴部８６及び８７、ガイド支持凸部９３、鈎部９１及び９２等の係合部の形状は、ランプとして成形後、容易に外れない形状であれば任意の形状とすることができる。
【０１２４】
【発明の効果】
上記のように本発明の情報記録ディスク装置用ランプは、各ガイド毎に熱膨張率の小さいガイド支持部材と係合するため、熱膨張時に、ガイド部の前端縁が記録ディスク面に対して平行なまま積層方向に変形する量を少なくすることができる。
【０１２５】
また、本発明の情報記録ディスク装置用ランプは、少なくとも各ガイド部の前端縁から、ガイド部とガイド支持部材との係合部までの間には、各ガイド部と同材料の橋梁手段を設けないため、熱膨張時に、橋梁手段の熱膨張によりガイド部の前端縁及びその側面端縁がめくれ上がる方向に変形する量を少なくすることができる。
【０１２６】
また、本発明の情報記録ディスク装置用ランプは、各ガイド毎に熱膨張率の小さいガイド支持部材と係合する位置を、極力各ガイド部の前端縁に近づけるようにしたので、熱膨張時に、ガイド部の前端縁及びその側面端縁がめくれ上がる方向に変形する量を少なくすることができる。
【０１２７】
また、本発明の情報記録ディスク装置用ランプは、各ガイド部の前端縁の幅を、サスペンション・アームがガイド支持部材に接触しない最低限の幅に設定し、ガイド支持部材は、サスペンション・アームが接触しない角度でガイド部と係合するようにしたので、熱膨張時に、ガイド部の前端縁の側面端縁がめくれ上がる方向に変形する量を少なくすることができる。
【０１２８】
また、本発明の情報記録ディスク装置用ランプは、記録ディスクを逃げる部分を除いてガイド支持部材を櫛形に前端縁まで延伸したので、熱膨張時に、ガイド部の前端縁がめくれ上がる方向に変形する量を少なくすることができる。
【０１２９】
また、本発明の情報記録ディスク装置用ランプは、サスペンション・アームが摺動しない側の各ガイド部間を埋める形状のガイド間隙部を有するので、熱膨張時に、ガイド部の前端縁が記録ディスク面に対して平行なまま積層方向に変形する量を少なくすることができる。
【０１３０】
また、本発明の情報記録ディスク装置用ランプは、第１の係合部を各ガイド間隙部に設け、第２の係合部を第１の係合部と対向する位置に設けたので、熱膨張時に、ガイド部の前端縁及びその側面端縁がめくれ上がる方向に変形する量を少なくすることができる。
【０１３１】
また、本発明の情報記録ディスク装置用ランプは、第１の係合部及び第２の係合部を相互に形状が組合わさる鈎型にしたので、成形後に第１の係合部及び第２の係合部が分離しないようにすることができる。
【０１３２】
また、本発明の情報記録ディスク装置は、ガイド部の前端縁の変形量が少ないランプを用いるので、サスペンション・アームをロードするとき或いはアンロードするときの磁気ヘッドと記録ディスクが接触する不具合を減少させることができる。
【図面の簡単な説明】
【図１】  本発明の一実施形態のランプが設けられた磁気記録ディスク装置を示す平面図である。
【図２】  （ａ）は本発明のランプのガイド部及びガイド支持部材の設計概念を個別に示す斜視図であり、（ｂ）は（ａ）のガイド部とガイド支持部材とを係合した場合を示す斜視図である。
【図３】  従来のサスペンション・アームとランプとの相対位置関係を示す図である。
【図４】  本発明のサスペンション・アームとランプとの相対位置関係を示す図である。
【図５】  本発明の第１の実施形態のランプの構成を示す斜視図である。
【図６】  （ａ）は図５のランプの前端縁を含む一部のガイド部を拡大して示す側面図であり、（ｂ）は（ａ）の正面図である。
【図７】  図５及び図６に示した本実施形態のランプを６枚ディスクタイプとした際のガイド部の前端縁が温度により変形する量を示す図である。
【図８】  本発明の第２の実施形態のランプの構成を示す斜視図である。
【図９】  （ａ）は図８のランプの前端縁を含む一部のガイド部を拡大して示す側面図であり、（ｂ）は（ａ）の正面図である。
【図１０】  図８及び図９に示したランプのガイド部の前端縁が温度により変形する量を示す図である。
【図１１】  （ａ）はポリ・テトラ・フルオロ・エチレン（ＰＴＦＥ）を含む高分子材料を用いて全ての部分を一括成形した場合の従来のランプを示す斜視図であり、（ｂ）は（ａ）のランプ中におけるサスペンション・アームを誘導するガイド部の前端縁部を拡大して示した斜視図である。
【図１２】  図１１（ａ）のランプとサスペンション・アームと記録ディスクとの位置関係を示す断面図である。
【図１３】  図１１及び図１２に示した従来のランプのガイド部の前端縁が温度により変形する量を示す図である。
【図１４】  ６枚ディスクタイプで金属板を指示部に埋め込んだ従来のランプにおけるガイド部の前縁端が温度により変形する量を示す図である。
【符号の説明】
１０  磁気記録ディスク装置、  １１  ハウジング、  １２  アクチュエータ・アセンブリ、  １３  ピボット軸、  １４  サスペンション・アーム、  １５持上げ突起、  １６  ボイス・コイル・モータ、  １７  記録ディスク、  １８  スピンドル軸、  １９  スライダ、  ２０、７０、８０  ランプ、  ２１、８１  取付部、  ２２、８２  アーム保持部、  ２３  ブラケット部、  ２４、７４、８３  支持部、  ２５  螺子穴、  ２６  開口部、  ２７  格納部、  ２８  ガイド部、  ２８ａ  ガイド部接触面、  ２９  前端縁、  ３０  金属スリーブ、  ３１  螺子、  ４０  橋梁部（橋梁手段）、  ５１、７１  ガイド支持部材、  ５２、７２  ガイド支持穴、  ５３、７６、８４  ガイド間隙部、  ５７、７７、９３  ガイド支持凸部、  ７３  前端縁支持部、  ７５  傾倒防止支持部、  ８５  ガイド支持凹部、  ８６、８７  固定穴部、  ９１、９２、９４鈎部、  ＳＬ１、ＳＬ２  中心線、  ＴＬ１、ＴＬ２  接線、  ＭＦ１、ＭＦ２  支持面、  Ｓ、Ｖ  前端縁幅、  Ｔ  ガイド部セーフティマージン、  Ｕ  支持部セーフティマージン、  θ１  格納角、  θ２  シフト角、  Ｐ、Ｑ、Ｒ、Ｚ  方向、  （Ａ１）、（Ａ２）、（Ｂ１）、（Ｂ２）、（Ｃ１）、（Ｃ２）、（Ｄ１）、（Ｄ２）、（Ｅ１）、（Ｅ２）、（Ｆ１）、（Ｆ２）  各記録ディスク毎のガイド部前端縁の分類符号、（Ａ）、（Ｂ）、（Ｃ）、（Ｄ）、（Ｅ）、（Ｆ）  各記録ディスクの分類符号。
【図１】
0004372989.tif 000002
【図２】
0004372989.tif 000003
【図３】
0004372989.tif 000004
【図４】
0004372989.tif 000005
【図５】
0004372989.tif 000006
【図６】
0004372989.tif 000007
【図７】
0004372989.tif 000008
【図８】
0004372989.tif 000009
【図９】
0004372989.tif 000010
【図１０】
0004372989.tif 000011
【図１１】
0004372989.tif 000012
【図１２】
0004372989.tif 000013
【図１３】
0004372989.tif 000014
【図１４】
0004372989.tif 000015